(57)【要約】【課題】  外出時の便座の清掃に適した小型で柔軟性のある、手に汚れがつかない使い捨てのキャップ型清掃具を提供する。【解決手段】  キャップ型清掃具１は、親指を除く手先が入る防水袋２の外面に、不織布からなる清掃シート６を取り付けており、２つ折りした非透液性フィルムを矩形に形成して重なった両側縁３を接合し、折り線４に対向する開口部５の開口端５から折り線４のある先端４までの距離が６０〜１００ｍｍである防水袋２の先端側から、２つ折りした矩形の清掃シート６を被せて両側縁３を防水袋２と共に、側縁３に近接した位置に複数の点状で接合し、防水袋２の開口部５の全周に、開口端５から５〜４０ｍｍの幅で清掃シート６のない防汚域１２を有する。【選択図】図５
2020137951.tif 000002
【特許請求の範囲】
【請求項１】
親指を除く手先が入る防水袋の外面に、不織布からなる清掃シートを取り付けたキャップ型清掃具であって、２つ折りした非透液性フィルムを矩形に形成して重なった両側縁を接合し、折り線に対向する開口部の開口端から該折り線のある先端までの距離が６０〜１００ｍｍである前記防水袋の該先端側から、２つ折りした矩形の前記清掃シートを被せて両側縁を該防水袋と共に、該側縁に近接した位置に複数の点状で接合し、該防水袋の前記開口部の全周に、開口端から５〜４０ｍｍの幅で前記清掃シートのない防汚域を有する、キャップ型清掃具。
【請求項２】
前記防水袋には、掌側と甲側との前記フィルムの接合によって内部を偏って左右に分ける仕切り部が設けられ、該仕切り部によって形成される大側のスペースは人差指と中指の挿入用で、該防水袋を平らに延ばした状態で左右方向の内法が５０〜６５ｍｍであり、小側のスペースは薬指と小指の挿入用で同内法が４０〜５５ｍｍである、請求項１に記載のキャップ型清掃具。
【請求項３】
キャップ型清掃具は外袋を有しており、該外袋はキャップ型清掃具１個を収容し、また、非透液性フィルムを重ねて矩形の該外袋を形成して、収容したキャップ型清掃具の前記開口部側が該外袋の引裂き開口位置側となっており、それに対向する先端からの内法１５〜５０ｍｍの範囲の少なくとも片面が、透明又は半透明部である、請求項１又は２に記載のキャップ型清掃具。
【発明の詳細な説明】
【技術分野】
【０００１】
本発明は、手先に被せて便座の清掃に用いる、小型で外出時の使用に適した、使い捨ての清掃具に関する。
【背景技術】
【０００２】
外出先で使用する洋式便器の便座は不特定多数の使用者が触れるため、上面を軽く清掃したうえで使用することが多い。その場合、密封包装入りで除菌液等を含浸させたシートを使用したり、スプレーで便座やトイレットペーパーに除菌液等を噴射して拭く方法がとられている。しかし、この方法では清掃に伴って手が汚れるという欠点があった。
【０００３】
他方、防水手袋の外面に清掃シートを取り付けた清掃用手袋が特許文献１に開示されており、この手袋を用いれば手を汚さずに清掃することが可能である。手首を超える長さの防水手袋の先端部に矩形の清掃シートを取り付けたもので、便器や洗面台等の汚れの除去に使用する手袋である。しかし、通常の大きい手袋であるため、外出時に使用することは困難であり、さらに矩形清掃シートの両側縁の接合部が硬化処理されて板状であるため、便座上面の清掃に用いた場合には拭きにくく、便座中央開口部の内側面や、便座後部の傾斜立ち上がり部に傷を付けてしまう問題が生じる。
【先行技術文献】
【特許文献】
【０００４】
【特許文献１】特許第５２５０３４１号公報
【発明の概要】
【発明が解決しようとする課題】
【０００５】
本発明は上記のような課題を解決するためになされたものであって、外出時の便座の清掃に適した小型で柔軟性のある、手に汚れがつかない、使い捨てのキャップ型清掃具を提供することを目的としている。
【課題を解決するための手段】
【０００６】
前記課題を解決するための第１の発明は、親指を除く手先が入る防水袋の外面に、不織布からなる清掃シートを取り付けたキャップ型清掃具であって、２つ折りした非透液性フィルムを矩形に形成して重なった両側縁を接合し、折り線に対向する開口部の開口端から該折り線のある先端までの距離が６０〜１００ｍｍである前記防水袋の該先端側から、２つ折りした矩形の前記清掃シートを被せて両側縁を該防水袋と共に、該側縁に近接した位置に複数の点状で接合し、該防水袋の前記開口部の全周に、開口端から５〜４０ｍｍの幅で前記清掃シートのない防汚域を有するキャップ型清掃具である。
【０００７】
上記の構成によれば、親指を除く指４本が入るキャップ型であるので小型となり、外出時に携帯することに適している。便座の上面はそれほどの広さはなく、手先だけで拭いても充分に速くきれいにすることができる。また、両側縁を点状に接合したことで側縁の柔軟性を保っていること、および接合による硬化部を側縁から少し離したことにより、硬化部横の側縁の柔軟性を保つことによって、便座を傷付けることなく清掃しやすいキャップ型清掃具となっている。非透液性フィルムによる防水袋を使用しているため、手に汚れがつかないのはもちろんのこと、さらに、防水袋の開口部全周に清掃シートのない防汚域を設けて、清掃シートと手肌とを隔離しており、小型の清掃具であっても清掃による清掃シートの汚れが手につかない形状としている。また清掃シートに除菌液等の液体を含浸させている場合には、たとえ清掃シートの後部以外を用いて清掃していても、汚れが液体を通して清掃シートの後端まで浸透するため、より防汚域の効力が発揮される。
【０００８】
第２の発明は、第１の発明において、前記防水袋には、掌側と甲側との前記フィルムの接合によって内部を偏って左右に分ける仕切り部が設けられ、該仕切り部によって形成される大側のスペースは人差指と中指の挿入用で、該防水袋を平らに延ばした状態で左右方向の内法が５０〜６５ｍｍであり、小側のスペースは薬指と小指の挿入用で同内法が４０〜５５ｍｍであるキャップ型清掃具である。
【０００９】
上記のうち、「掌側」と「甲側」とは、防水袋内に指を挿入した場合の、指の掌側と指の甲側を示し、「左右」とは、防水袋の開口部側から先端の方向を向いての左右を示している。人差指・中指グループと薬指・小指グループのそれぞれに合った横幅の指スペースとすることで、清掃具の着脱がしやすくなる上に清掃具をより小型化することができる。キャップ型のため、便座の清掃時にはキャップ型清掃具が手から抜け落ちる可能性があり、特に便器内への落下が問題となるが、上記の仕切り部を指の間に挟んでキャップ型清掃具を固定すれば安定して抜け落ちにくくなり、清掃しやすい。
【００１０】
第３の発明は、第１又は第２の発明において、キャップ型清掃具は外袋を有しており、該外袋はキャップ型清掃具１個を収容し、また、非透液性フィルムを重ねて矩形の該外袋を形成して、収容したキャップ型清掃具の前記開口部側が該外袋の引裂き開口位置側となっており、それに対向する先端からの内法１５〜５０ｍｍの範囲の少なくとも片面が、透明又は半透明部であるキャップ型清掃具である。
【００１１】
外袋の引裂き開口位置で接合部を破り取り、外袋内のキャップ型清掃具に手先を挿入してから外袋を外せば、清掃シートに除菌液等を含浸させている場合でも、手に液がつくことを防ぐことができる。清掃時には手指が汗ばんでキャップ型清掃具の防水袋が指にくっつくため、清掃終了後に、キャップ型清掃具の汚れた外面に触れないようにして脱手することは困難であるが、キャップ型清掃具を手先に嵌めたまま、引裂いて開口されている外袋に挿入し、外袋の外からキャップ型清掃具の先端（仕切り部があれば仕切り部の先端）を摘まんで手を引けば、容易に脱手することができる。外袋の先端側が透明又は半透明であるのでキャップ型清掃具の先端がよく見えて摘まみやすい。そして汚れたキャップ型清掃具の外面には一切触れることなく、そのまま外袋ごと廃棄することができる。外袋を脱手と廃棄に用いるため、外袋にはキャップ型清掃具を１個のみ収容している。
【発明の効果】
【００１２】
本発明によれば、外出時に携帯しやすい小型で、柔軟性があって便座の清掃がしやすく、手に汚れがつかない、使い捨てのキャップ型清掃具を提供することができる。
【図面の簡単な説明】
【００１３】
【図１】本実施形態に係るキャップ型清掃具の防水袋を示す図であり、（ａ）は平面図、（ｂ）はＡ−Ａ断面図、（ｃ）はＢ−Ｂ断面図である。
【図２】本実施形態に係るキャップ型清掃具を示す図であり、（ａ）は平面図、（ｂ）はＣ−Ｃ断面図、（ｃ）はＤ−Ｄ断面図である。
【図３】本実施形態に係るキャップ型清掃具を収容した外袋を示す平面図である。
【図４】本実施形態に係る引裂き開口された外袋を示す平面図である。
【図５】本実施形態に係るキャップ型清掃具を手に装着した状態を示す図である。
【図６】本実施形態に係る、外袋を用いた、キャップ型清掃具からの脱手要領を示す図である。
【発明を実施するための形態】
【００１４】
以下、本発明に係る実施形態について、図面に基づいて説明する。
【００１５】
図１は、キャップ型清掃具１の防水袋２である。非透液性フィルムを２つ折りして長方形に形成し、左右の重なった側縁３を接合している。折り線４のある端部が先端４であり、対向する側が手先を挿入する開口部５である。その開口端５から先端４までの距離Ｌ１は６０〜１００ｍｍであることが望ましい。フィルムの材質は溶着の可能なポリプロピレン、ポリエチレン、ポリエチレンテレフタレート等が適しており、側縁３の溶着では、清掃時の作業性をよくするため、溶着の幅を小さくして柔軟性を持たせる必要がある。両側縁３の切断と溶着は、例えば、超音波溶着機を用いて同時に加工すると効率的である。側縁の接合には接着剤を使用する等、他の接合方法を用いてもよい。
【００１６】
図２は、キャップ型清掃具１である。防水袋２の先端４側から、２つ折りした清掃シート６を被せて、左右の側縁３を点状で接合しており、側縁３から少し離した位置に複数の点状で、防水袋２と清掃シート６を一体にして溶着している。便座用の清掃具には柔軟性が必要とされるが、溶着部７は硬化するため、複数の点状で溶着することで溶着部７周辺の柔軟性を保っており、また、溶着部７を側縁３から少し離すことで、溶着部７横の側縁３の柔軟性を保っている。清掃シート６は不織布からできており、その材質としては、ポリプロピレン、ポリエチレン、ポリエチレンテレフタレート等が挙げられる。
【００１７】
左右方向の中央から少し左に寄った位置に仕切り部１１が設けられている。右のスペースは人差指と中指の挿入用で、内法Ｌ４が５０〜６５ｍｍであることが望ましく、左のスペースは薬指と小指の挿入用で、内法Ｌ３が４０〜５５ｍｍであることが望ましい。本実施形態では、仕切り部１１の接合も両側縁３と同様に、柔軟性を持たせるために複数の点状で、防水袋２と清掃シート６を一体にして溶着している。防水袋２の作製時に仕切り部１１を設けておき、清掃シート６の取り付け後も、仕切り部１１の箇所では清掃シート６と分離しておく形態（不図示）についても、本発明に含まれる。この場合、仕切り部全体を直線状の接合としてもよい。
【００１８】
上記の材質による不織布には、吸湿性および吸水性が殆んどないが、清掃シート６に清浄液や除菌液等を含浸させると、より清掃の効果が高まるため、不織布にプラズマ処理等による親水化を施しておくことが望ましい。防水袋２の開口端５まで清掃シート６が取り付けられていると、開口端５の清掃シート６が清掃で汚れた場合には、その汚れが開口端５に接触している手についてしまい、また、除菌液等を含浸させている場合には、清掃の汚れが液体を通して開口端５まで浸透するため、一層手に汚れがつきやすくなるが、本発明のキャップ型清掃具１は、防水袋２の開口部５全周に清掃シート６のない防汚域１２を設けて、清掃シート６と手肌とを隔離し、小型の清掃具であっても清掃シート６の汚れが手につかない形状となっている。防汚域１２の幅Ｌ２は５〜４０ｍｍとすることが望ましい。
【００１９】
図３は、キャップ型清掃具１を収容した外袋１３を示した平面図である。外袋１３は、非透液性フィルムを用いて形成され、本実施形態では、２つ折りしたフィルムの間にキャップ型清掃具１を収容した状態で、周囲の３方を溶着にて接合している。折り線４のある端部が先端４であり、その先端４側にキャップ型清掃具１の先端４を一致させた状態で収容されている。内部が見えるようにするため、外袋１３の先端４から後方へ向かう距離Ｌ５の範囲は、外袋１３の片面若しくは両面が、透明又は半透明部１４となっている。外袋１３の材質は、溶着の可能なポリプロピレン、ポリエチレン、ポリエチレンテレフタレート等が適している。その他、周囲の接合には接着剤を使用する等、他の接合方法を用いてもよい。
【００２０】
周囲の３方を溶着しており、左右の溶着部７の後端寄り外側に、引裂き用切込み１５を設けている。引裂き開口位置１６（図４）で後方の溶着部８を破り取るためのもので、そのため、フィルムには引裂き性が必要で一軸方向に延伸されたもの、又は二軸方向に延伸したものであれば、うち一方がより強く延伸されたものが適している。外袋１３の製作時には引裂く方向に、フィルムの延伸方向、又はより強く延伸した方向を一致させて、使用時に後方の溶着部８を直線状に破り取れるようにする。フィルムを２つ折りしないで、２枚重ねて周囲の４方を接合する方法もあるが（不図示）、その場合もＬ５の寸法は、先端の接合部を除く内法となる。
【００２１】
図４は、引裂き用切込み１５から後方の溶着部８を破り取ったあとの、開口された外袋１３である。下辺が引裂き開口部１６である。この外袋１３が、清掃後に再び使用される（後述）。
【００２２】
以下に、本実施形態に係るキャップ型清掃具１の使用方法について説明する。
図３に示すように、キャップ型清掃具１は外袋１３内に収容されている。後方の引裂き用切込み１５から引裂いて、後方の溶着部８を破り取る。そして片方の手で外袋１３を持ち、他方の手先を外袋１３内のキャップ型清掃具１に挿入した後、外袋１３を外す。この方法により、清掃シート６に除菌液等が含浸されている場合でも、手に除菌液等がつくことを防ぐことができる。空になった外袋１３（図４）は、後で使用するので置いておく。
【００２３】
図５は、右手にキャップ型清掃具１を装着した状態を示す図である。左手に装着する場合はキャップ型清掃具１を左右に反転させる。指スペースの大きい方へ人差指と中指を、小さい方へ薬指と小指を入れ、中指と薬指の間で仕切り部１１をしっかりと挟んで清掃具を固定する。先ず、手の平を便座に接触させないようにして指先の掌側で便座の上面を初回拭きし、続いて、指先の甲側で仕上げ拭きを行う。一度拭いただけではまだ清掃しきれていない不安感があるが、そのままの装着で、甲側で2度目の清掃ができ、速く、よりきれいにすることができる。左右の側縁３と仕切り部１１に柔軟性があるため、清掃しやすく、特に側縁３が柔軟なため、便座中央開口部の内側面や、便座後部の傾斜立ち上がり部に傷を付けることなく清掃することができる。また、防水袋２であるために汚れが手につかないのはもちろんのこと、防汚域１２があって清掃シート６が手肌に接触しないため、清掃シート６の汚れが手につかないので衛生的である。
【００２４】
図６は、清掃後に外袋１３を用いてキャップ型清掃具１から脱手する方法を示した図である。清掃後の汚れたキャップ型清掃具１を手先に嵌めたまま、開口された外袋１３に挿入して、本図であれば左手で、外袋１３の外からキャップ型清掃具１の仕切り部１１の先端４を摘まむ。その際、外袋１３の先端側の透明又は半透明部１４でキャップ型清掃具１の仕切り部１１の先端４を視認しながら摘まむ。そして両手をそれぞれ外側に引けば、手指が汗ばんでいても容易にキャップ型清掃具１から脱手することができる。このとき、仕切り部１１の溶着部７が清掃シート６と防水袋２を一体にしていて、摘まんで引く力が防水袋２に直接伝わるため、摘まむ力が小さくて済む。そして汚れたキャップ型清掃具１の外面には一切触れることなく、そのまま外袋１３ごと廃棄することができる。
【符号の説明】
【００２５】
１  キャップ型清掃具      ２  防水袋      ３  側縁      ４  先端（折り線）
５  開口部（開口端）      ６  清掃シート      ７  溶着部      ８  後方の溶着部
１１  仕切り部      １２  防汚域      １３  外袋      １４  透明又は半透明部
１５  引裂き用切込み      １６  引裂き開口部（引裂き開口位置）
【図１】
2020137951.tif 000003
【図２】
2020137951.tif 000004
【図３】
2020137951.tif 000005
【図４】
2020137951.tif 000006
【図５】
2020137951.tif 000007
【図６】
2020137951.tif 000008